(57)【要約】  【課題】  地上波デジタル放送を受信可能なデジタル放送受信機において、移動時におけるスムースな選局を可能とする。  【解決手段】  地上波デジタル放送を受信するデジタル放送受信部１２と、物理チャンネルおよびこの物理チャンネルで受信できる放送局の固有情報を記憶するプリセット記憶部１７と、このデジタル放送受信部１２を制御するとともに、プリセット記憶部１７に記憶された情報に基づいて受信制御を行う受信制御部１３とを含み、このプリセット記憶部１７は、プリセットボタンと物理チャンネルとを対応付けた１つ以上のプリセットチャンネルをグループ化してチャンネルグループを形成するとともに、このチャンネルグループが複数、記憶されている。  【選択図】  図１
2005045592.tif 000002
【特許請求の範囲】
【請求項１】
地上波デジタル放送を受信するデジタル放送受信部と、
物理チャンネルおよび当該物理チャンネルで受信できる放送局の固有情報を記憶するプリセット記憶部と、
前記デジタル放送受信部を制御するとともに、前記プリセット記憶部に記憶された情報に基づいて受信制御を行う受信制御部とを含み、
前記プリセット記憶部は、プリセットボタンと前記物理チャンネルとを対応付けた１つ以上のプリセットチャンネルをグループ化してチャンネルグループを形成するとともに、当該チャンネルグループが複数、記憶されていることを特徴とするデジタル放送受信機。
【請求項２】
前記プリセット記憶部は、前記複数のチャンネルグループの各々にグループ名を付加して当該複数のチャンネルグループを記憶することを特徴とする請求項１記載のデジタル放送受信機。
【請求項３】
前記受信制御部は、特定の放送の受信中および/または受信後にサーチ選局を行う場合に、当該特定の放送が含まれるチャンネルグループの情報を前記プリセット記憶部から先行して読み出してサーチを行うことを特徴とする請求項１記載のデジタル放送受信機。
【請求項４】
ユーザが放送局を指定するためのプリセットボタンを備えた操作部を更に含み、
前記受信制御部は、移動先または移動中に放送を受信するのに際して、その地域でサーチ受信できる物理チャンネルおよび当該物理チャンネルの放送局における固有情報と、前記プリセット記憶部に記憶された物理チャンネルおよび固有情報とを照合し、合致したものの多いチャンネルグループのプリセットチャンネルを前記操作部のプリセットボタンに配置することを特徴とする請求項１記載のデジタル放送受信機。
【請求項５】
移動体端末に設けられたデジタル放送受信機にて、移動した地域でプリセットボタンを操作することにより地上波デジタル放送を受信するためのデジタル放送受信方法であって、
所定のチャンネルにてチューナ受信周波数をセットし、
受信できた局とプリセットメモリに含まれるチャンネルグループの局との照合を行い、
照合によって地域を特定し、
特定された地域に対応するチャンネルグループの情報を前記プリセットメモリから読み出して前記プリセットボタンに割り振ることを特徴とするデジタル放送受信方法。
【請求項６】
前記プリセットメモリは、１つ以上のプリセットチャンネルがグループ化されたチャンネルグループを複数、格納するとともに、当該複数のチャンネルグループの各々に対して名称を付与することが可能であることを特徴とする請求項５記載のデジタル放送受信方法。
【請求項７】
前記チャンネルグループの情報を前記プリセットボタンに割り振る際に、当該チャンネルグループ毎に付与されている前記名称を表示することを特徴とする請求項６記載のデジタル放送受信方法。
【請求項８】
移動した地域でプリセットボタンを操作することにより地上波デジタル放送を受信する移動体端末として機能するコンピュータに、
所定のチャンネルにて受信できた局とプリセットメモリに含まれるチャンネルグループの局との照合を行う機能と、
照合によって地域を特定する機能と、
特定された地域に対応するチャンネルグループの情報を前記プリセットメモリから読み出して前記プリセットボタンに割り振る機能とを実現させるプログラム。
【請求項９】
前記コンピュータが有する前記プリセットメモリは、１つ以上のプリセットチャンネルがグループ化されたチャンネルグループを複数、格納するとともに、当該複数のチャンネルグループの各々に対して名称を付与することが可能であり、
前記チャンネルグループの情報を前記プリセットボタンに割り振る際に、当該チャンネルグループ毎に付与されている前記名称を表示する機能を当該コンピュータに更に実現させる請求項８記載のプログラム。
【発明の詳細な説明】
【技術分野】
【０００１】
本発明は、地上波デジタル放送を受信可能なデジタル放送受信機等に係り、より詳しくは、移動体端末にて特に有用なデジタル放送受信機等に関する。
【背景技術】
【０００２】
テレビ放送には、地上波、ケーブル、衛星の３つの伝送路が存在する。その中で、日本国および世界において最も普及が急がれているのが地上波デジタル放送である。日本国では、２００３年末に関東、中京および近畿の３大広域圏での放送開始が予定されており、２０１０年には完全デジタル化が予定されている。
【０００３】
テレビ放送にて現行のアナログ放送をデジタル放送にした場合には、デジタル化により雑音の影響を受けにくくなり、アナログ放送よりも弱い電波で良好な受信が可能となる。また、情報の検索や編集、加工が容易となる。更には、デジタル技術の応用によって、一定の伝送帯域幅にて多くの情報を伝送でき、地上波放送でも高画質番組の伝送が可能になるとともに、映像などの精細度に応じた多チャンネル化の実現も可能となる。
【０００４】
ここで、地上波デジタル放送においては、系列局を意識したプリセット番号(リモコンＫｅｙ ＩＤ：remote_control_key_id)が用いられており、そのＩＤに沿ったプリセットボタンで選局できることが推奨されている。また、各放送局に割り振られた３桁番号があり、この番号と放送局名とがテレビ番組表に記載される方向で調整がなされている。
【０００５】
図６は、プリセットボタンの割り当て例を示した図である。ここでは、固定受信機のリモコンキーに放送局が割り当てられた例であり、受信機のリモコンに装備される１〜１２までのボタンに、デフォルトで各放送局が割り当てられる。１放送局について１つのプリセット番号(remote_control_key_id)に記載された番号で、該当ボタンに割り当てられる。図６に示す「選局されるサービス番号」が、各放送局に割り振られた３桁の番号である。但し、この３桁の番号は、物理的な周波数情報を表していないことから、そのまま選局手段として用いることができるものではない。
【０００６】
尚、従来技術として、移動体用放送受信機において、同一放送内容の放送局をグループ化して選局することで、選局ボタンの数を少なくしてもオートサーチに選んだ地域の受信可能局を全て選局できる移動体用放送受信機が存在する(例えば、特許文献１参照。)。また、デジタル放送受信機で所定の識別情報を有するサービスを選択する際、現在受信中のアンサンブルで所定の識別情報が選択可能であるか否かを判定し、選択可能な場合にはこれを選択する技術が存在する(例えば、特許文献２参照。)。
【０００７】
【特許文献１】特開２００１−３５８５６３号公報(第３−４頁、図１)
【特許文献２】特開平１１−３４０８５８号公報(第３−４頁、図２)
【発明の開示】
【発明が解決しようとする課題】
【０００８】
ここで、固定受信機において受信場所が変わらない状態にて受信する所謂固定受信の場合には、その受信地域を容易に特定でき、また受信機が移動することが稀であるため、１回のプリセット(チャンネルの設定)操作で選局に不自由を来たすことは考え難い。そのために、例えば図６に示すような割り当てが１つ、なされていれば、選局には充分である。しかしながら、例えば車載機器などの移動体端末にて移動しながら受信する所謂移動受信においては、日常的に複数の地域間を受信機が移動することが考えられ、それぞれの地域において受信可能な放送局が変わることが予想される。かかる場合には、全ての地域で受信可能な放送局を全てプリセットするか、居住地域だけプリセットし、その他の地域は移動の度にサーチ選局を行う必要がある。全ての周波数を選局するためには非常に多くの時間がかかり、サーチ選局に多くの時間を費やすことは、ユーザに対する使い勝手を著しく低下させることになる。
【０００９】
更に、従来のアナログ放送において、そのチャンネル番号は、その地域における放送局を特定するとともに、物理的な周波数情報を表していた。一方、地上波デジタル放送においては、周波数を意味するものとしてチャンネル番号の呼称を用いることがなく、また、図６に示すような各放送局に用意される３桁の番号は、前述のように、その周波数を特定するものではない。そのために、従来のアナログ放送と異なり、ダイレクトに選局をすることができないことから、所謂移動体受信に際し、移動時におけるスムースな選局を特に困難にしていた。上記特許文献１および特許文献２に記載の技術では、かかる問題に対して対処できるものではない。
【００１０】
本発明は、以上のような技術的課題を解決するためになされたものであって、その目的とするところは、地上波デジタル放送を受信可能なデジタル放送受信機において、移動時におけるスムースな選局を可能にすることにある。
また他の目的は、移動体端末に用いられるデジタル放送受信機において、頻繁なプリセット操作を不要とすることにある。
【課題を解決するための手段】
【００１１】
かかる目的のもと、本発明が適用されるデジタル放送受信機は、地上波デジタル放送を受信するデジタル放送受信部と、物理チャンネルおよびこの物理チャンネルで受信できる放送局の固有情報を記憶するプリセット記憶部と、このデジタル放送受信部を制御するとともに、プリセット記憶部に記憶された情報に基づいて受信制御を行う受信制御部とを含んでいる。このプリセット記憶部は、プリセットボタン(リモコンＫｅｙ ＩＤ)と物理チャンネルとを対応付けた１つ以上のプリセットチャンネルをグループ化してチャンネルグループを形成するとともに、このチャンネルグループが複数、記憶されていることを特徴としている。そして、この複数のチャンネルグループの中から、所定のチャンネルグループを選択し、このプリセット記憶部に記憶された情報を読み出して、操作部におけるプリセットボタンに割り振る。ユーザは、地域を移動する受信機においてもプリセットボタンを押すだけで系列放送を受信できる。
【００１２】
ここで、このプリセット記憶部は、複数のチャンネルグループの各々にグループ名を付加して複数のチャンネルグループを記憶することを特徴としている。また、この受信制御部は、特定の放送の受信中および/または受信後にサーチ選局を行う場合に、特定の放送が含まれるチャンネルグループの情報をプリセット記憶部から先行して読み出してサーチを行うことを特徴としている。
【００１３】
更に、ユーザが放送局を指定するためのプリセットボタンを備えた操作部を含み、受信制御部は、移動先または移動中に放送を受信するのに際して、その地域でサーチ受信できる物理チャンネルおよび物理チャンネルの放送局における固有情報と、プリセット記憶部に記憶された物理チャンネルおよび固有情報とを照合し、合致したものの多いチャンネルグループのプリセットチャンネルを操作部のプリセットボタンに配置することを特徴としている。
【００１４】
他の観点から把えると、本発明は、移動体端末に設けられたデジタル放送受信機にて、移動した地域でプリセットボタンを操作することにより地上波デジタル放送を受信するためのデジタル放送受信方法であって、所定のチャンネルにてチューナ受信周波数をセットし、受信できた局とプリセットメモリに含まれるチャンネルグループの局との照合を行い、照合によって地域を特定し、特定された地域に対応するチャンネルグループの情報をプリセットメモリから読み出してプリセットボタンに割り振ることを特徴としている。
【００１５】
ここで、このプリセットメモリは、１つ以上のプリセットチャンネルがグループ化されたチャンネルグループを複数、格納するとともに、この複数のチャンネルグループの各々に対して名称を付与することが可能であることを特徴としている。また、このチャンネルグループの情報をプリセットボタンに割り振る際に、チャンネルグループ毎に付与されている名称を表示することを特徴とすることができる。
【００１６】
更に、本発明は、コンピュータに所定の機能を実現させるプログラムとして把握することができる。即ち、本発明が適用されるプログラムは、移動した地域でプリセットボタンを操作することにより地上波デジタル放送を受信する移動体端末として機能するコンピュータに、所定のチャンネルにて受信できた局とプリセットメモリに含まれるチャンネルグループの局との照合を行う機能と、照合によって地域を特定する機能と、特定された地域に対応するチャンネルグループの情報をプリセットメモリから読み出してプリセットボタンに割り振る機能とを実現させる。
【００１７】
ここで、このコンピュータが有するプリセットメモリは、１つ以上のプリセットチャンネルがグループ化されたチャンネルグループを複数、格納するとともに、複数のチャンネルグループの各々に対して名称を付与することが可能であり、チャンネルグループの情報をプリセットボタンに割り振る際に、チャンネルグループ毎に付与されている名称を表示する機能をコンピュータに更に実現させる。
【００１８】
尚、このプログラムをコンピュータに対して提供する際に、コンピュータとしての移動体端末である、例えば車載受信機にインストールされた状態にて提供される場合の他、コンピュータに実行させるプログラムをコンピュータが読取可能に記憶した記憶媒体にて提供する形態が考えられる。この記憶媒体としては、例えばＤＶＤやＣＤ−ＲＯＭ媒体等が該当し、ＤＶＤやＣＤ−ＲＯＭ読取装置等によってプログラムが読み取られ、フラッシュＲＯＭ等にこのプログラムが格納されて実行される。また、これらのプログラムは、例えば、プログラム伝送装置からネットワークを介して提供される形態も考えられる。
【発明の効果】
【００１９】
本発明によれば、地上波デジタル放送を受信可能なデジタル放送受信機において、移動時におけるスムースな選局が可能になる。
【発明を実施するための最良の形態】
【００２０】
以下、添付図面を参照して、本発明の実施の形態について詳細に説明する。
図１は本実施の形態が適用されるデジタル放送受信機の構成を示したブロック図である。このデジタル放送受信機１０は、例えば、車載機器やＰＤＡ、携帯電話などの移動体端末に搭載されることが想定される。本実施の形態が適用されるデジタル放送受信機１０は、アンテナ１１を介して地上波デジタル放送を受信するデジタル放送受信部１２、デジタル放送受信部１２を制御するとともに、放送に同調を合わせる受信制御部１３、放送波に含まれる固有情報(サービス情報)や映像、音声を復調する映像、音声、データ復調部１４、受信した映像や各種設定情報等を表示する表示部１５、音声を出力するスピーカ１６を備えている。また、放送チャンネル(周波数)およびそのチャンネルで受信できる放送局の固有情報を記憶するプリセット記憶部１７、プリセットボタン等を備えてユーザによる選局等を可能とする操作部１８を備えている。
【００２１】
プリセット記憶部１７には、後述するように、１つ以上のプリセット情報がグループ化された状態にて記憶されている。本実施の形態では、この記憶された複数のチャンネルグループの各々に、名称(グループ名)を付与することができる。例えば、「住居」、「会社」、「遊び場」などである。地上波デジタル放送においては、放送局ごとにプリセットされるボタンが推奨されていることから、各グループ毎に、この推奨に従ってプリセットボタンへの割り振りが行われる。
【００２２】
現行のアナログ放送では、ＶＨＦの番号をそのままチャンネル番号としている。この現行のチャンネル指定の方法を踏襲し、地上波デジタル放送受信では、デジタル放送に用いられるＵＨＦのチャンネル番号(物理チャンネル：例えば１３〜６２ｃｈ)とは別に、別途１〜１２チャンネルの番号を放送事業者ごとに決めている。これらは、「リモコンＫｅｙ ＩＤ」とも呼ばれ、本実施の形態における「プリセットボタン」に割り振られる。決定されるチャンネル番号には、関東圏や近畿圏、中京地域など、地域によって異なった放送事業者が割り当てられている。
【００２３】
受信制御部１３は、サーチ選局手段の１つとして機能し、自動的あるいは手動によりサーチ選局を行う場合に、現在、受信しているチャンネルグループよりサーチを行っている。サーチ選局において、全ての周波数を選局すると、非常に時間がかかることが予想される。そこで、現在、受信しているチャンネルグループ内のプリセットをサーチすることで、チャンネルグループの選択を効率的に行うことができ、容易に選局移動することができるように構成している。
【００２４】
また、受信制御部１３は、プリセット選局手段の１つとして機能する。ここでは、移動体受信において、地域を移動した場合、自動的あるいは手動により、地域サーチを行う。そして、その地域で受信できる放送チャンネルおよび放送局固有情報を照合し、照合された局が多いチャンネルグループの記憶チャンネルをプリセットボタンに配置する。また、そのグループに付けられたグループ名を表示するように機能している。
【００２５】
更に、受信制御部１３は、現在受信している局が受信不能となった場合に、自動的あるいは手動によりサーチを行う。このとき、局ごとに割り当てられた３桁番号および物理チャンネル(周波数情報)を用いて、受信できた局とプリセットグループ(チャンネルグループ)の局との照合を行うことにより、地域を特定する。そして、この特定された地域について、グループのプリセットをプリセットボタンに割り振る。このように構成することによって、各地域を移動する受信機においても、例えば、居住地域のＡ放送局はリモコンＫｅｙ ＩＤ＝１、その系列局である会社地域のＢ放送局のリモコンＫｅｙ ＩＤが１のときには、１のボタンを押すだけでその系列放送を受信することが可能となる。
【００２６】
図２は、デジタル放送受信部１２および受信制御部１３にて実行されるオートプリセットの処理を示したフローチャートである。受信制御部１３では、例えば使い始めや、地域を移動した際などに、操作部１８を介したユーザの操作等により、自動プリセット指示を受ける(ステップ１０１)。次に、例えば、日本の地上波デジタル放送のＵＨＦ帯(１３〜６２ｃｈ)に対応して、チャンネル番号ＣＨ＝１３とし(ステップ１０２)、デジタル放送受信部１２に対して、チューナ受信周波数をセットする(ステップ１０３)。
【００２７】
その後、信号レベルが良好か否かが判断される(ステップ１０４)。信号レベルが良好でない場合には、ステップ１０９へ移行し、新たなチャンネルの受信がなされる。信号レベルが良好である場合には、ビットエラーが良好か否かが判断される(ステップ１０５)。良好ではない場合には、同様にステップ１０９へ移行し、良好である場合には、ステップ１０６のＮＩＴ(Network Information Table)取得へ移行する。デジタル放送受信機１０が、車載機器等の移動体機器に用いられる場合には、信号レベルやビットエラーが必ずしも良好とはならないことから、このステップ１０４やステップ１０５の判断は、移動体端末におけるオートプリセット処理には非常に有効である。
【００２８】
ステップ１０６では、ＮＩＴ(Network Information Table)が取得される。このＮＩＴには、変調周波数など伝送路の情報と、放送番組を関連付ける情報が含まれている。ＮＩＴあたり１つのリモコンＫｅｙ ＩＤ(remote_control_key_id)が放送電波に乗せて伝送されており、例えば、１〜１２の範囲で運用されている。受信制御部１３は、このＮＩＴから、例えば、地域識別、地域事業者識別、リモコンＫｅｙ ＩＤを取得する(ステップ１０７)。次に、受信制御部１３は、プリセット記憶部１７におけるリモコンＫｅｙ ＩＤに相当するプリセットメモリ(領域)に、取得した各情報を記憶する(ステップ１０８)。
【００２９】
その後、受信制御部１３は、チャンネルをインクリメント(ＣＨ＝ＣＨ＋１)する(ステップ１０９)。ここで、インクリメントされたチャンネルがＵＨＦ帯の上限である６２ｃｈに達したか否か、即ち、チャンネルが６２を超えた(ＣＨ＞６２)か否かが判断される(ステップ１１０)。チャンネルが６２を超えていない(６２以下の)場合には、ステップ１０３に戻ってオートプリセット処理が繰り返される。チャンネルが６２を超えた場合には、オートプリセットの処理が終了する。この図２に示す処理は、移動体端末が、ユーザが欲する所定の受信地域に存在し、各々の受信地域にて「使い始め」の処理にて実行される。
【００３０】
図３は、図２にて示したオートプリセット処理によって、プリセット記憶部１７に格納されるプリセットメモリの内容を説明するための図である。ここでは、チャンネルグループ１(プリセットグループ１)とチャンネルグループ２(プリセットグループ２)の２つのチャンネルグループの情報が格納されている状態が示されている。プリセットメモリには、例えば、プリセットグループ名３１、地域識別３２、地域事業者識別３３、リモコンＫｅｙ ＩＤ３４、物理チャンネル３５、放送局名３６などが含まれる。プリセットメモリの構造としては、図３に示すように、各プリセットグループにて、リモコンＫｅｙ ＩＤ３４に対応した、例えば１２個(１つ以上)のプリセットチャンネル(プリセット１〜プリセット１２)が含まれている。その最初のプリセットチャンネル(プリセット１)には、例えば、ユーザにより個別に登録された識別情報としての名称であるプリセットグループ名３１が格納されている。それ以外のプリセットチャンネル(プリセット２〜プリセット１２)には、プリセットグループ名３１を除く情報が格納されている。
【００３１】
このプリセットグループ名３１としては、例えば自宅などの「ホームグラウンド」、オフィスなどの「ワークエリア」、週末や休暇などに頻繁に移動する別荘などの「リゾートエリア」など、任意の名称(グループ名)を付けることが可能である。地域識別３２には、例えば、関東を１、近畿を２、中京を３、また、東京を２３、愛知を３３等、予め割り当てられている地域を識別するための情報が格納されている。地域事業者識別３３には、例えば事業者Ａが「０」、事業者Ｂが「１」等、予め割り当てられている地域事業者の識別情報が格納される。
【００３２】
物理チャンネル３５は、ＵＨＦ帯(１３〜６２ｃｈ)の中から予め事業者(放送局)により申請され選定されている周波数(ｃｈ)であり、視聴者の混乱を避けるために、受信機のリモコンに対応するチャンネル番号が予め選定されている。例えば、Ａ放送協会では、所定の地域(例えば関東)における総合放送として２７ｃｈ、教育放送として２６ｃｈ等である。物理チャンネル３５のメモリエリアには、このチャンネル情報が格納される。また、放送局名３６としては、例えば、一般ユーザが呼称として使用する放送局の名称が格納される。このように、プリセットチャンネル記憶手段の一部であるプリセット記憶部１７は、複数のチャンネルグループ(プリセットグループ)を有し、１つ以上のプリセットチャンネルがグループ化して記憶されている。そして、記憶された複数のチャンネルグループの各々に、名称(グループ名)を付けることができる。これによって、ユーザの操作性を更に向上させることができる。
【００３３】
図４は、図２に示したオートプリセット処理によって、プリセット記憶部１７に格納されるメモリの内容を説明するための図である。図３は、プリセット記憶部１７に格納されるメモリ構造を示しており、このようなメモリ構造によって、図４に示すような内容の情報がプリセット記憶部１７に格納される。ここでは、１つ以上(図４の例では３つ)のプリセットチャンネルがグループ化して記憶されている。図４に示す例では、チャンネルグループ１(プリセットグループ１)として「ホームグランド」、チャンネルグループ２(プリセットグループ２)として「ワークエリア」、チャンネルグループ３(プリセットグループ３)として「リゾートエリア」といったグループ名が付与され、各グループにおいて、プリセットボタン(リモコンＫｅｙ)に対応した放送チャンネルおよび放送局固有情報が格納される。
【００３４】
このようにして、プリセット記憶部１７に複数のチャンネルグループが記憶されている状態にて、デジタル放送受信機１０にてサーチ選局を行う場合には、現在、受信しているチャンネルグループよりサーチが行われる。例えば、「ホームグランド」である東京で受信していた状態で、群馬県に移動したときにサーチ選局を行う場合には、現在受信しているチャンネルグループ１よりサーチが行われることが好ましい。このように構成することで、チャンネルを選局できる可能性を高めることが可能となる。
【００３５】
次に、移動体受信において、地域を移動した場合の地域サーチを行う機能について説明する。
図５は、受信制御部１３にて実行される地域特定の処理を示したフローチャートである。受信制御部１３では、デジタル放送受信部１２を介してサーチ受信を行い、その物理チャンネルから、受信できる放送局を特定する(ステップ２０１)。受信制御部１３では、プリセット記憶部１７を参照して、特定された物理チャンネルを有するグループを特定する。具体的には、その物理チャンネルがグループＡ(チャンネルグループＡ)にあるか否かが判断され(ステップ２０２)、グループＡにある場合には、グループＡのカウンタをインクリメント(＋１)する(ステップ２０３)。ステップ２０２でグループＡにない場合、またはステップ２０３の処理の後、その物理チャンネルがグループＢ(チャンネルグループＢ)にあるか否かが判断される(ステップ２０４)。グループＢにある場合には、グループＢのカウンタをインクリメント(＋１)し(ステップ２０５)、グループＢにない場合、またはステップ２０５の処理の後、その物理チャンネルがグループＣ(チャンネルグループＣ)にあるか否かが判断される(ステップ２０６)。グループＣにある場合には、グループＣのカウンタをインクリメント(＋１)して(ステップ２０７)、ステップ２０８の処理へ移行し、グループＣにない場合には、そのままステップ２０８の処理へ移行する。このような処理をプリセット記憶部１７にある全てのグループ(チャンネルグループ)に対して実行する。
【００３６】
その後、サーチ受信が終了したか否かが判断され(ステップ２０８)、終了していない場合には、ステップ２０１に戻って上記処理が繰り返される。サーチ受信が終了した後には、例えば一致数が多いものにプリセットする。ＵＨＦでは１３〜６２チャンネルを１周まわして終了する等、サーチ受信が終了か否かの条件を予め定めておくことができる。サーチが終了した後に、例えば、Ａカウンタが大きいか否かが判断され(ステップ２０９)、Ａカウンタが大きい場合には、Ａグループに切り替えられて(ステップ２１０)、処理が終了する。Ａカウンタが大きくない場合には、Ｂカウンタが大きいか否かが判断され(ステップ２１１)、Ｂカウンタが大きい場合には、Ｂグループに切り替えられて(ステップ２１２)、処理が終了する。ステップ２１１にてＢカウンタが大きくない場合には、Ｃグループに切り替えられて(ステップ２１３)、処理が終了する。
【００３７】
このように、移動体受信において、地域を移動した場合、自動的に、あるいは手動によって、地域サーチを行うことができる。このプリセット選局手段の機能としては、その地域で受信できる放送チャンネルおよびその放送局固有情報と、プリセット記憶部１７に記憶されている、チャンネルグループの放送チャンネルおよび放送局固有情報を照合する。そして、例えば、照合された局が多いチャンネルグループの情報(プリセットメモリの情報)をプリセットボタンに割り振るとともに、そのチャンネルグループに付けられたグループ名を表示部１５に表示する。これによって、移動体端末に搭載されたデジタル放送受信機１０による移動体受信において、プリセットの選局を行うことが可能となる。
【００３８】
以上、詳述したように、従来のアナログ放送においては、そのチャンネル番号は、その地域における放送局を特定するとともに、物理的な周波数情報を表していた。一方、地上波デジタル放送においては、周波数を意味するものとしてチャンネル番号の呼称を用いることがなく、また、各放送局に用意される３桁の番号は、その周波数を特定するものではないことから、ダイレクトに選局をすることができなかった。そのために、例えば、車載機器やＰＤＡ、携帯電話などの移動体端末にて、移動時におけるスムースな選局を困難にしていた。しかしながら、本実施の形態では、地域ごとのプリセットメモリをプリセット記憶部１７に記憶し、かつ、この地域ごとのプリセット情報をチャンネルグループとして取り扱うように構成した。特に、デジタル放送においては、放送局ごとにプリセットされるボタンが推奨されているので、各グループごとにこの推奨に従い、プリセットボタンに割り振るように構成した。これによって、容易な操作で系列局の受信が可能になるとともに、頻繁なプリセット操作が不要となる。また、図６に示したような３桁番号と地域、物理周波数との対応テーブルを不要とすることができる。
【産業上の利用可能性】
【００３９】
本発明の活用例として、例えば、車載機器やＰＤＡ、携帯電話などの移動体端末に用いられるデジタル放送受信機に適用することが特に有用である。
【図面の簡単な説明】
【００４０】
【図１】本実施の形態が適用されるデジタル放送受信機の構成を示したブロック図である。
【図２】デジタル放送受信部および受信制御部にて実行されるオートプリセットの処理を示したフローチャートである。
【図３】オートプリセット処理によって、プリセット記憶部に格納されるプリセットメモリの内容を説明するための図である。
【図４】プリセット記憶部に格納されるメモリの内容を説明するための図である。
【図５】受信制御部にて実行される地域特定の処理を示したフローチャートである。
【図６】プリセットボタンの割り当て例を示した図である。
【符号の説明】
【００４１】
１０…デジタル放送受信機、１１…アンテナ、１２…デジタル放送受信部、１３…受信制御部、１４…映像、音声、データ復調部、１５…表示部、１７…プリセット記憶部、１８…操作部
【図１】
2005045592.tif 000003
【図２】
2005045592.tif 000004
【図３】
2005045592.tif 000005
【図４】
2005045592.tif 000006
【図５】
2005045592.tif 000007
【図６】
2005045592.tif 000008